(57)【要約】      （修正有）【課題】接続ポートの設置を省略し、携帯型本体を完全に密閉して防水・防塵の効果を得る接合孔を備えない防水携帯型電子機器を提供する。【解決手段】接合孔を備えない防水携帯型電子機器１００は、携帯型本体１１と、少なくとも１つの誘導コイル２０とを備える。携帯型本体は、完全に密閉されて外部に対する接続孔が全く無く、内部に制御回路が設けられる。誘導コイルは、携帯型本体に配設され、制御回路と電気的に接続される。誘導コイルの外側は保護カバー２１により覆われる。携帯型本体は、携帯電話又はノート型パソコンである。誘導コイルを有する外部充電装置上にこの防水携帯型電子機器を設置し、外部充電装置を起動すると、この誘導コイル間で無線方式により電力を伝送できる。また、誘導コイルを有する外部アクセス装置上に、設置すると、誘導コイル間でデータを無線方式で伝送することができる。【選択図】図１
0003186137.tif 000002
【実用新案登録請求の範囲】
【請求項１】
携帯型本体と、少なくとも１つの誘導コイルとを備えた接合孔を備えない防水携帯型電子機器であって、
前記携帯型本体は、完全に密閉されて外部に対する接続孔が全く無く、内部に制御回路が設けられ、
前記誘導コイルは、前記携帯型本体に配設され、前記制御回路と電気的に接続されることを特徴とする接合孔を備えない防水携帯型電子機器。
【請求項２】
前記誘導コイルの外側が保護カバーにより覆われることを特徴とする請求項１に記載の接合孔を備えない防水携帯型電子機器。
【請求項３】
前記携帯型本体は携帯電話であることを特徴とする請求項１に記載の接合孔を備えない防水携帯型電子機器。
【請求項４】
前記携帯型本体はノート型パソコンであることを特徴とする請求項１に記載の接合孔を備えない防水携帯型電子機器。
【考案の詳細な説明】
【技術分野】
【０００１】
本考案は、携帯型電子機器に関し、特に、接合孔を備えない防水携帯型電子機器に関する。
【背景技術】
【０００２】
科学技術の発展に伴い、各種携帯型電子機器が次々に開発され、人々の生活は次第に便利になってきている。例えば、ノート型パソコンの出現は、人々がコンピュータを携行しビジネスに必要なコンピュータ作業などを容易に行うことができるようにし、携帯型記憶装置の出現は、様々な電子データを容易に携行することができるようにし、スマートフォンの出現は、何時でも何処でもインターネットを利用したり、ゲームをしたり、電子メールを送受信したりすることができるようにし、このように携帯型電子機器は現代社会において、非常に重要となってきている。
【０００３】
上述の携帯型電子機器は、充電用ポート、ＵＳＢポート、ヘッドフォン用ポートなどの接続ポートを有することが一般的であり、接続ポートによりその他のデバイスと接続して電気を供給したりデータを伝送したりするが、携帯型電子機器の外カバーには、接続ポートに対応した接続孔を形成する必要があり、接続孔を介して携帯型電子機器の内部へ水又は埃が侵入して携帯型電子機器を損壊させる虞があった。そのため、従来技術の欠点を改善する携帯型電子機器が求められていた。
【考案の概要】
【考案が解決しようとする課題】
【０００４】
本考案の目的は、接続ポートの設置を省略して携帯型本体を完全に密閉して外部に対して接続孔を全て無くし、防水・防塵の効果を得る接合孔を備えない防水携帯型電子機器を提供することにある。
【課題を解決するための手段】
【０００５】
上記課題を解決するために、本考案の第１の形態によれば、携帯型本体と、少なくとも１つの誘導コイルとを備えた接合孔を備えない防水携帯型電子機器であって、前記携帯型本体は、完全に密閉されて外部に対する接続孔が全く無く、内部に制御回路が設けられ、前記誘導コイルは、前記携帯型本体に配設され、前記制御回路と電気的に接続されることを特徴とする接合孔を備えない防水携帯型電子機器が提供される。
【０００６】
前記誘導コイルの外側が保護カバーにより覆われることが好ましい。
【０００７】
前記携帯型本体は携帯電話であることが好ましい。
【０００８】
前記携帯型本体はノート型パソコンであることが好ましい。
【図面の簡単な説明】
【０００９】
【図１】図１は、本考案の第１実施形態に係る接合孔を備えない防水携帯型電子機器を示す分解斜視図である。
【図２】図２は、本考案の第１実施形態に係る接合孔を備えない防水携帯型電子機器を示す断面図である。
【図３】図３は、本考案の第１実施形態に係る接合孔を備えない防水携帯型電子機器を示す使用概念図である。
【図４】図４は、本考案の第１実施形態に係る接合孔を備えない防水携帯型電子機器を示すもう一つの使用概念図である。
【図５】図５は、本考案の第２実施形態に係る接合孔を備えない防水携帯型電子機器を示す斜視図である。
【考案を実施するための形態】
【００１０】
以下、本考案の実施形態について図に基づいて説明する。なお、これによって本考案が限定されるものではない。
【００１１】
（第１実施形態）
図１及び図２を参照する。図１は、本考案の第１実施形態に係る接合孔を備えない防水携帯型電子機器を示す分解斜視図である。図２は、本考案の第１実施形態に係る接合孔を備えない防水携帯型電子機器を示す断面図である。図１及び図２に示すように、本考案の第１実施形態に係る接合孔を備えない防水携帯型電子機器１００は、少なくとも携帯型本体１０と、少なくとも１つの誘導コイル２０とから構成される。
【００１２】
携帯型本体１０は、完全に密閉されて外部に対する接続孔が全く無い。第１実施形態の携帯型本体１０は、携帯電話であり、携帯型本体１０を操作するために制御回路１１が内部に設けられている。
【００１３】
誘導コイル２０は、携帯型本体１０に設けられ、制御回路１１と電気的に接続される。第１実施形態の接合孔を備えない防水携帯型電子機器１００は誘導コイル２０を有する。誘導コイル２０は携帯型本体１０内に配設される。誘導コイル２０の外側は保護カバー２１により覆われる。
【００１４】
図３を併せて参照する。図３は、本考案の第１実施形態に係る接合孔を備えない防水携帯型電子機器を示す使用概念図である。図３に示すように、ユーザは、誘導コイル２０１を有する外部充電装置２００上に接合孔を備えない防水携帯型電子機器１００を設置し、外部充電装置２００を起動すると、外部充電装置２００の誘導コイル２０１を利用して電力を電磁力へ変換し、携帯型本体１０内の誘導コイル２０がファラデーの電磁誘導の法則により回路を通る磁束が変化すると、この回路に起電力が生じて無線方式により電力を伝送することができる。
【００１５】
図４を併せて参照する。図４は、本考案の第１実施形態に係る接合孔を備えない防水携帯型電子機器を示すもう一つの使用概念図である。図４に示すように、ユーザは、誘導コイル３０１を有する外部アクセス装置３００上に、接合孔を備えない防水携帯型電子機器１００を設置し、第１実施形態のヘッドフォンのように、外部アクセス装置３００を起動すると、電磁誘導の方式により、外部アクセス装置３００の誘導コイル３０１と携帯型本体１０内の誘導コイル２０との間で、データを無線方式で伝送することができる。
【００１６】
上述の構成により、接合孔を備えない防水携帯型電子機器１００は、充電用ポート、ヘッドフォン用ポートなどの接続ポートの設置を省略し、携帯型本体１０を完全に密閉し、外部に対して接続孔が全く無い状態にして防水・防塵機能を得る。
【００１７】
（第２実施形態）
図５を併せて参照する。図５は、本考案の第２実施形態に係る接合孔を備えない防水携帯型電子機器を示す斜視図である。図５に示すように、本考案の第２実施形態に係る接合孔を備えない防水携帯型電子機器１００は、第１実施形態と異なり、携帯型本体１０がノート型パソコンでもよく、第１実施形態と同様に誘導コイル２０の電磁誘導方式により電力又はデータを伝送し、携帯型本体１０を完全に密閉して外部に対して接続孔が全く無い状態にして、防水・防塵機能を得る。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１０    携帯型本体
１１    制御回路
２０    誘導コイル
２１    保護カバー
１００  接合孔を備えない防水携帯型電子機器
２００  外部充電装置
２０１  誘導コイル
３００  外部アクセス装置
３０１  誘導コイル
【図１】
0003186137.tif 000003
【図２】
0003186137.tif 000004
【図３】
0003186137.tif 000005
【図４】
0003186137.tif 000006
【図５】
0003186137.tif 000007